(57)【要約】【課題】ウエブの幅を変更して左右一対のテンターチェーンの間隔が変化したときでも、無端状のテンターチェーンが弛むことがないテンター装置を提供する。【解決手段】搬入スプロケット２８と第１スプロケット１８との間には、第１レール２０１が設けられ、第４スプロケット２４と搬入スプロケット２８との間には、１本の第４レール２０４が設けられ、左右一対の第１スプロケット１８，１８が互いに接近するように移動したときに、搬入スプロケット２８を搬出側に移動させ、左右一対の第１スプロケット１８，１８が互いに離れるように移動したときに、搬入スプロケット２８を搬入側に移動させる。【選択図】      図１
2020078880.tif 000002
【特許請求の範囲】
【請求項１】
ウエブの搬送路の搬入側に設けられた左右一対の第１スプロケットと、
前記搬送路の搬出側に設けられた左右一対の第２スプロケットと、
左右一対の前記第２スプロケットの外側に配された左右一対の第３スプロケットと、
左右一対の前記第１スプロケットの外側に配された左右一対の第４スプロケットと、
左右一対の前記第１スプロケットと左右一対の前記第４スプロケットのそれぞれの間に設けられた左右一対の搬入スプロケットと、
前記ウエブを前後方向に走行させるために、左右一対の前記第１スプロケット、左右一対の前記第２スプロケット、左右一対の前記第３スプロケット、左右一対の前記第４スプロケット、左右一対の前記搬入スプロケットにそれぞれ架け渡された左右一対の無端状のテンターチェーンと、
左右一対の前記テンターチェーンに所定間隔毎にそれぞれ取り付けられ、前記ウエブの両耳部を固定する左右一対の固定部材と、
左右一対の前記第１スプロケットを左右方向にそれぞれ移動させる第１スプロケット移動手段と、
（１）前記第１スプロケット移動手段によって左右一対の前記第１スプロケットが互いに接近するように移動したときに、前記搬入スプロケットを前記搬出側に移動させ、（２）前記第１スプロケット移動手段によって左右一対の前記第１スプロケットが互いに離れるように移動したときに、前記搬入スプロケットを前記搬入側に移動させる搬入スプロケット移動手段と、
を有するテンター装置。
【請求項２】
前記第１スプロケットと前記搬入スプロケットの間に設けられ、前記固定部材が走行する第１レールと、
前記第４スプロケットと前記搬入スプロケットの間に設けられ、前記固定部材が走行する第４レールと、
を有する請求項１に記載のテンター装置。
【請求項３】
前記第１スプロケットは、第１スプロケット台から突出した第１軸部に回転自在に支持され、
前記第４スプロケットは、第４スプロケット台から突出した第４軸部に回転自在に支持され、
前記搬入スプロケットは、搬入スプロケット台から突出した搬入軸部に回転自在に支持され、
前記第１レールは、
前記第１軸部の外周に回転自在に嵌合するリング状の第１リング部と、
前記搬入軸部の外周に回転自在に嵌合するリング状の第１搬入リング部と、
前記第１リング部と前記第１搬入リング部を連結する第１レール本体と、
を有し、
前記第４レールは、
前記第４軸部の外周に回転自在に嵌合するリング状の第４リング部と、
前記搬入軸部の外周に回転自在に嵌合するリング状の第２搬入リング部と、
前記第４リング部と前記第２搬入リング部を連結する第４レール本体と、
を有する請求項２に記載のテンター装置。
【請求項４】
前記搬入スプロケット移動手段は、前記搬入スプロケット台をテンター台の上で前後方向と左右方向に移動させる、
請求項３に記載のテンター装置。
【請求項５】
前記搬入スプロケット移動手段は、
前記搬入スプロケット台の下面に設けられ、前記テンター台の上を走行する複数の車輪と、
前記搬入スプロケット台の前記下面から下方に突出した突片と、
を有し、
前記突片には、左右方向に開口した長孔が設けられ、
前記テンター台の上には、前後方向に伸び、かつ、前記長孔を貫通したシャフトが設けられている、
請求項４に記載のテンター装置。
【請求項６】
ウエブの搬送路の搬入側に設けられた左右一対の第１スプロケットと、
前記搬送路の搬出側に設けられた左右一対の第２スプロケットと、
左右一対の前記第２スプロケットの外側に配された左右一対の第３スプロケットと、
左右一対の前記第１スプロケットの外側に配された左右一対の第４スプロケットと、
左右一対の前記第２スプロケットと左右一対の前記第３スプロケットのそれぞれの間に設けられた左右一対の搬出スプロケットと、
前記ウエブを前後方向に走行させるために、左右一対の前記第１スプロケット、左右一対の前記第２スプロケット、左右一対の前記第３スプロケット、左右一対の前記第４スプロケット、左右一対の前記搬出スプロケットにそれぞれ架け渡された左右一対の無端状のテンターチェーンと、
左右一対の前記テンターチェーンに所定間隔毎にそれぞれ取り付けられ、前記ウエブの両耳部を固定する左右一対の固定部材と、
左右一対の前記第２スプロケットを左右方向にそれぞれ移動させる第２スプロケット移動手段と、
（１）前記第２スプロケット移動手段によって左右一対の前記第２スプロケットが互いに接近するように移動したときに、前記搬出スプロケットを前記搬入側に移動させ、（２）前記第２スプロケット移動手段によって左右一対の前記第２スプロケットが互いに離れるように移動したときに、前記搬出スプロケットを前記搬出側に移動させる搬出スプロケット移動手段と、
を有するテンター装置。
【請求項７】
前記第２スプロケットと前記搬出スプロケットの間に設けられ、前記固定部材が走行する第２レールと、
前記第３スプロケットと前記搬出スプロケットの間に設けられ、前記固定部材が走行する第３レールと、
を有する請求項６に記載のテンター装置。
【請求項８】
前記第２スプロケットは、第２スプロケット台から突出した第２軸部に回転自在に支持され、
前記第３スプロケットは、第３スプロケット台から突出した第３軸部に回転自在に支持され、
前記搬出スプロケットは、搬出スプロケット台から突出した搬出軸部に回転自在に支持され、
前記第２軸部の外周に回転自在に嵌合するリング状の第２リング部と、
前記搬出軸部の外周に回転自在に嵌合するリング状の第１搬出リング部と、
前記第２リング部と前記第１搬出リング部を連結する第２レール本体と、
を有し、
前記第３レールは、
前記第３軸部の外周に回転自在に嵌合するリング状の第３リング部と、
前記搬出軸部の外周に回転自在に嵌合するリング状の第２搬出リング部と、
前記第３リング部と前記第２搬出リング部を連結する第３レール本体と、
を有する請求項７に記載のテンター装置。
【請求項９】
前記搬出スプロケット移動手段は、前記搬出スプロケット台をテンター台の上で前後方向と左右方向に移動させる、
請求項８に記載のテンター装置。
【請求項１０】
前記搬出スプロケット移動手段は、
前記搬出スプロケット台の下面に設けられ、前記テンター台の上を走行する複数の車輪と、
前記下面から下方に突出した枠部と、
を有し、
前記枠部には、左右方向に開口した長孔が設けられ、
前記テンター台の上には、前後方向に伸び、かつ、前記長孔を貫通したシャフトが設けられている、
請求項９に記載のテンター装置。
【請求項１１】
請求項１又は請求項５の前記テンター装置と熱処理室を有する熱処理装置であって、
左右一対の前記第１スプロケットから左右一対の前記第２スプロケットまでの往路における左右一対の前記テンターチェーンが、前記熱処理室の内部に配され、
左右一対の前記第３スプロケットから左右一対の前記第４スプロケットまでの帰路における左右一対の前記テンターチェーンが、前記熱処理室の外部に配されている、
熱処理装置。
【発明の詳細な説明】
【技術分野】
【０００１】
本発明は、フィルム、布帛、紙などのウエブをクリップで把持して移動させるテンター装置及びそれを用いた熱処理装置に関するものである。
【背景技術】
【０００２】
従来より、ウエブの両耳部を支持する複数のクリップやピンからなる固定部材と、固定部材を連結するテンターチェーンと、テンターチェーンで連結された固定部材を走行させるテンターレールとを備え、テンターレール上をテンターチェーンが走行することによって、固定部材で固定されたウエブを走行させるテンター装置が提案されている（例えば、特許文献１、２参照）。
【先行技術文献】
【特許文献】
【０００３】
【特許文献１】特開平５−３１９６４８号公報
【特許文献２】特開２０１０−２４７３９３号公報
【発明の概要】
【発明が解決しようとする課題】
【０００４】
上記のようなテンター装置において、搬送するウエブの幅を変更した場合には、左右一対のテンターチェーンの間隔を狭めたり、広げたりする。この場合であっても、無端状のテンターチェーンは、適正な張力で張った状態にする必要がある。しかし、ウエブの幅を変更したときに、スプロケットの位置を移動させただけでは、そのテンターチェーンの弛みや張りを吸収できないという問題点があった。
【０００５】
そこで本発明は上記問題点に鑑み、ウエブの幅を変更して左右一対のテンターチェーンの間隔が変化したときでも、無端状のテンターチェーンを弛みなく張ることができるテンター装置及びそれを用いた熱処理装置を提供することを目的とする。
【課題を解決するための手段】
【０００６】
本発明の実施形態１は、ウエブの搬送路の搬入側に設けられた左右一対の第１スプロケットと、前記搬送路の搬出側に設けられた左右一対の第２スプロケットと、左右一対の前記第２スプロケットの外側に配された左右一対の第３スプロケットと、左右一対の前記第１スプロケットの外側に配された左右一対の第４スプロケットと、左右一対の前記第１スプロケットと左右一対の前記第４スプロケットのそれぞれの間に設けられた左右一対の搬入スプロケットと、前記ウエブを前後方向に走行させるために、左右一対の前記第１スプロケット、左右一対の前記第２スプロケット、左右一対の前記第３スプロケット、左右一対の前記第４スプロケット、左右一対の前記搬入スプロケットにそれぞれ架け渡された左右一対の無端状のテンターチェーンと、左右一対の前記テンターチェーンに所定間隔毎にそれぞれ取り付けられ、前記ウエブの両耳部を固定する左右一対の固定部材と、左右一対の前記第１スプロケットを左右方向にそれぞれ移動させる第１スプロケット移動手段と、（１）前記第１スプロケット移動手段によって左右一対の前記第１スプロケットが互いに接近するように移動したときに、前記搬入スプロケットを前記搬出側に移動させ、（２）前記第１スプロケット移動手段によって左右一対の前記第１スプロケットが互いに離れるように移動したときに、前記搬入スプロケットを前記搬入側に移動させる搬入スプロケット移動手段と、を有するテンター装置である。
【０００７】
また、本発明の実施形態２は、ウエブの搬送路の搬入側に設けられた左右一対の第１スプロケットと、前記搬送路の搬出側に設けられた左右一対の第２スプロケットと、左右一対の前記第２スプロケットの外側に配された左右一対の第３スプロケットと、左右一対の前記第１スプロケットの外側に配された左右一対の第４スプロケットと、左右一対の前記第２スプロケットと左右一対の前記第３スプロケットのそれぞれの間に設けられた左右一対の搬出スプロケットと、前記ウエブを前後方向に走行させるために、左右一対の前記第１スプロケット、左右一対の前記第２スプロケット、左右一対の前記第３スプロケット、左右一対の前記第４スプロケット、左右一対の前記搬出スプロケットにそれぞれ架け渡された左右一対の無端状のテンターチェーンと、左右一対の前記テンターチェーンに所定間隔毎にそれぞれ取り付けられ、前記ウエブの両耳部を固定する左右一対の固定部材と、左右一対の前記第２スプロケットを左右方向にそれぞれ移動させる第２スプロケット移動手段と、（１）前記第２スプロケット移動手段によって左右一対の前記第２スプロケットが互いに接近するように移動したときに、前記搬出スプロケットを前記搬入側に移動させ、（２）前記第２スプロケット移動手段によって左右一対の前記第２スプロケットが互いに離れるように移動したときに、前記搬出スプロケットを前記搬出側に移動させる搬出スプロケット移動手段と、を有するテンター装置である。
【０００８】
また、本発明の実施形態３は、上記実施形態１又は２のテンター装置と熱処理室を有する熱処理装置であって、左右一対の前記第１スプロケットから左右一対の前記第２スプロケットまでの往路における左右一対の前記テンターチェーンが、前記熱処理室の内部に配され、左右一対の前記第３スプロケットから左右一対の前記第４スプロケットまでの帰路における左右一対の前記テンターチェーンが、前記熱処理室の外部に配されている、熱処理装置である。
【発明の効果】
【０００９】
本発明によれば、第１スプロケット移動手段によって左右一対の第１スプロケットが互いに接近するように移動したときには、搬入スプロケットが搬出側に移動し、また、左右一対の第１スプロケットが互いに離れるように移動したときには、搬入スプロケットが搬入側に移動することにより、テンターチェーンが常に張った状態で維持できる。
【００１０】
また、本発明によれば、第２スプロケット移動手段によって左右一対の第２スプロケットが互いに接近するように移動したときには、搬出スプロケットが搬入側に移動し、また、左右一対の第２スプロケットが互いに離れるように移動したときには、搬出スプロケットが搬出側に移動することにより、テンターチェーンを弛みなく張った状態で維持できる。
【図面の簡単な説明】
【００１１】
【図１】狭い幅のウエブを搬送する状態のテンター装置の平面図である。
【図２】広い幅のウエブを搬送する状態のテンター装置の平面図である。
【図３】固定部材とテンターレールの縦断面図である。
【図４】第１スプロケットの平面図である
【図５】第１スプロケットの前面図である。
【図６】図４のＡ−Ａ線断面図である。
【図７】搬入スプロケットの一部欠裁前面図である。
【図８】搬入スプロケット台の裏面図である。
【図９】第１レールと第４レールの関係を示す平面図である。
【発明を実施するための形態】
【００１２】
以下、本発明の一実施形態のテンター装置１０を有する熱処理装置１について図１〜図９を参照して説明する。熱処理装置１は、テンター装置１０によって拡布状態でウエブＷを前後方向に搬送させ、熱処理室１２内部に搬入し、熱処理し、その後に搬出する。ウエブＷは、フィルム、布帛、紙などである。以下の説明では、ウエブＷの幅方向、すなわち、テンター装置１０の左右方向をｘ軸方向、搬送路の搬入側から搬出側にウエブＷが走行する方向を前後方向、すなわちｙ軸方向という。
【００１３】
（１）テンター装置１０と熱処理室１２
テンター装置１０と熱処理室１２の概要について図１と図２を参照して説明する。
【００１４】
テンター装置１０は、図１と図２に示すように、左右一対のテンターチェーン１４，１４を有し、左右一対のテンターチェーン１４に設けられている複数の固定部材１６を走行させ、左右一対の固定部材１６，１６の間にウエブＷを拡布状態で取り付け、搬入側から搬出側に走行させる。
【００１５】
図１と図２に示すように、左右一対のテンターチェーン１４，１４の往路は、直方体状の熱処理室１２の内部を通るように配され、復路は熱処理室１２の外側を通るように配されている。
【００１６】
左右一対のテンターチェーン１４，１４を走行させる構造は左右対称であるため、以下の説明では、左側のテンターチェーン１４を走行させる構造について説明する。
【００１７】
図１と図２に示すように、熱処理室１２の搬入側には、第１スプロケット１８が配されている。
【００１８】
図１と図２に示すように、熱処理室１２の搬出側には、第２スプロケット２０が配されている。第２スプロケット２０は、駆動スプロケットであり不図示のモータによって回転し、無端状のテンターチェーン１４を走行させる。そして、この第２スプロケット２０は、前後方向（ｙ軸方向）には固定され、左右方向（ｘ軸方向）にはウエブＷの幅に併せて移動可能である。
【００１９】
搬出側の第２スプロケット２０の外側、すなわち熱処理室１２よりも外側に第３スプロケット２２が配されている。この第３スプロケット２２は、左右方向（ｘ軸方向）と前後方向（ｙ軸方向）共に固定されている。
【００２０】
搬入側の第１スプロケット１８の外側、すなわち熱処理室１２よりも外側に第４スプロケット２４が配されている。
【００２１】
搬入スプロケット２８と第１スプロケット１８との間には、第１レール２０１が設けられている。
【００２２】
第２スプロケット２０と第３スプロケット２２の間には、搬出スプロケット２６が配されている。
【００２３】
第４スプロケット２４と第１スプロケット１８の間には、搬入スプロケット２８が配されている。
【００２４】
第１スプロケット１８と第２スプロケット２０との間には、複数本に分割されたテンターレール２００が設けられている。
【００２５】
第２スプロケット２０と搬出スプロケット２６との間には、１本の第２レール２０２が設けられている。
【００２６】
搬出スプロケット２６と第３スプロケット２２との間には、１本の第３レール２０３が設けられている。
【００２７】
第３スプロケット２２と第４スプロケット２４との間には、複数本に分割されたテンターレール２００が設けられている。
【００２８】
第４スプロケット２４と搬入スプロケット２８との間には、１本の第４レール２０４が設けられている。
【００２９】
無端状のテンターチェーン１４は、上記各レールに沿って回転する第１スプロケット１８、第２スプロケット２０、搬出スプロケット２６、第３スプロケット２２、第４スプロケット２４、搬入スプロケット２８を走行し、第１スプロケット１８に戻る。
【００３０】
右側のテンターチェーン１４についても、左側のテンターチェーン１４と左右対称の構造を有している。
【００３１】
（２）テンターレール２００と固定部材１６
テンターレール２００と固定部材１６について図３を参照して説明する。
【００３２】
テンターレール２００は、図３に示すように、縦断面が長方形のレール基礎部３２の外側面に設けられた縦レール板３４と、レール基礎部３２の上面に設けられた横レール板３６を有している。レール基礎部３２は、レール支持板３８によって水平に支持されている。
【００３３】
図３に示すように、固定部材１６は、固定本体４０にテンターチェーン１４のローラ４２、下横車輪４４、上横車輪４６、縦車輪４８が回転自在に取り付けられている。固定本体４０は、下枠材５０と上枠材５２を有している。下枠材５０は、内側面が開口したコの字状である。上枠材５２は、下枠材５０の上面の内端部から上方に突出し、下面が開口したコの字状である。
【００３４】
下枠材５０のコの字状の内部には、ローラ４２が縦方向に回転自在に設けられ、下枠材５０の下面には、下横車輪４４が横方向に設けられている。
【００３５】
上枠材５２のコの字状の内部には、上横車輪４６が横方向に設けられ、さらに上記で説明した縦レール板３４が挿入されている。上枠材５２の内側面には、縦車輪４８が縦方向に設けられている。
【００３６】
そして、下横車輪４４と上横車輪４６が、縦レール板３４を挟むようにテンターレール２００を走行し、縦車輪４８が横レール板３６の上面に沿ってテンターレール２００を走行する。
【００３７】
下枠材５０の上面の外側にはピン支持板５４が水平に固定され、このピン支持板５４の外端部には複数本のピン５６が立設されたピン台５８が設けられている。ウエブＷの両耳部は、この複数本のピン５６によって固定部材１６に固定される。
【００３８】
（３）第１スプロケット１８と第１スプロケット移動手段
左側の第１スプロケット１８と第１スプロケット移動手段について図４〜図６、図９を参照して説明する。
【００３９】
まず、第１スプロケット１８とその取り付け構造について説明する。図４と図９に示すように、熱処理室１２の搬入口近傍には、第１スプロケット台６０が水平に配されている。図５に示すように、第１スプロケット台６０のほぼ中央部から第１軸部６２が突出している。第１軸部６２の下方には、リング状の高さ調整リング６４、高さ調整リング６４の上には後から説明する第１レール２０１の端部、第１レール２０１の端部の上にはリング状の押さえ部材６８が取り付けられ、押さえ部材６８の上にはベアリング７０が設けられている。ベアリング７０は、固定軸部７２によって第１軸部６２に固定されている。ベアリング７０の外周には第１スプロケット１８が回転自在に設けられている。
【００４０】
次に、第１スプロケット移動手段について説明する。図４〜図６に示すように、第１スプロケット台６０の下方には、キャスター台７６が水平に設けられ、キャスター台７６よりも少し離れた位置にスライド台８０が水平に設けられている。図６に示すように、キャスター台７６が、スライド台８０より高い位置に設けられ、段差がある。キャスター台７６とスライド台８０は、後から説明するハンドル台９４の右側面から突出している。
【００４１】
図４〜図６に示すように、第１スプロケット台６０の下面の前部には、２個のキャスター７４が所定間隔を開けて左右方向に設けられている。２個のキャスター７４は、キャスター台７６を前後左右方向に移動できる。
【００４２】
図４〜図６に示すように、第１スプロケット台６０の下面であって、前後方向（ｙ軸方向）に沿ってスライドレール７８が設けられている。スライドレール７８は縦断面形状がコの字状であって、下面が開口している。スライドレール７８の下方にスライド台８０が配されている。
【００４３】
図４〜図６に示すように、スライドレール７８と交差する位置であって、スライド台８０の上面には、雌ネジ部が開口した幅移動部８２が設けられている。この幅移動部８２の上面には、移動軸８４が垂直に突出している。この移動軸８４には上下方向に２個の移動ベアリング８６，８８が設けられている。この移動ベアリング８６，８８はスライドレール７８内部を回転自在に前後方向（ｙ軸方向）に移動する。
【００４４】
図４〜図６に示すように、幅移動部８２の雌ネジ部には、ネジ棒９０が左右方向（ｘ軸方向）に貫通している。
【００４５】
図５に示すように、ネジ棒９０の一端は、スライド台８０の上面に設けられているネジ受け部９２に回転自在に支持されている。
【００４６】
図４に示すように、ネジ棒９０の他端は、第１スプロケット１８と搬入スプロケット２８の間にあるハンドル台９４に挿入され、挿入された部分には歯車１０４が設けられている。ハンドル台９４の内部には、ネジ棒９０と直交するようにハンドル棒９６が前後方向（ｙ軸方向）に配され、このハンドル棒９６の端部にはハンドル９８が設けられている。また、ネジ棒９０の歯車１０６と直交するハンドル棒９６の位置には、歯車１０６が設けられ、歯車１０４と螺合している。
【００４７】
図４〜図６に示すように、ハンドル９８を回転させるとハンドル棒９６が回転し、歯車１０６と歯車１０４とが螺合していることにより、ネジ棒９０が回転してスライドレール７８と共に第１スプロケット台６０が左右方向に移動する。この場合にキャスター台７６の上を２個のキャスター７４，７４が移動することによりスムーズに移動できる。
【００４８】
第１スプロケット１８は、スライドレール７８内部を移動ベアリング８６，８８が移動することにより、前後方向にも移動できる。
【００４９】
そして、第１スプロケット１８は、第１軸部６２を中心に回転する。
【００５０】
右側の第１スプロケット１８は、左側の第１スプロケット１８と左右対称の構造を有する。
【００５１】
（４）搬入スプロケット２８と搬入スプロケット移動手段
左側の搬入スプロケット２８と搬入スプロケット移動手段について図７〜図９を参照して説明する。
【００５２】
まず、搬入スプロケット２８とその取り付け構造について説明する。図９に示すように、第１スプロケット台６０の外側には、搬入スプロケット台１００が配されている。  図７に示すように、搬入スプロケット台１００の中央部の上面から搬入軸部１０２が突出し、搬入軸部１０２には第４レール２０４の端部が配され、その上に第１レール２０１の端部が配され、第１レール２０１の端部の上にはリング状の押さえ部材１０８が配され、その上にベアリング１１０が配されている。ベアリング１１０は固定軸部１１２によって搬入軸部１０２に固定されている。ベアリング１１０の外周には搬入スプロケット２８が回転自在に設けられている。
【００５３】
次に、搬入スプロケット移動手段について説明する。図７に示すように、搬入スプロケット台１００の下方には、ハンドル台９４の左側面にはテンター台１１６が設けられている。図７と図８に示すように、搬入スプロケット台１００の下面の角部には４個のキャスター１１４が設けられている。４個のキャスター１１４は、テンター台１１６の上を前後左右に移動できる。搬入スプロケット台１００の下面の左右方向には、突片１１８が設けられ、この突片１１８には左右方向に長い長孔１２０が設けられている。長孔１２０には、シャフト１２２が貫通している。このシャフト１２２は前後方向に配され、その両端部は、テンター台１１６から突出したシャフト支持部１２４，１２４にそれぞれ固定されている。
【００５４】
搬入スプロケット２８は、図８に示すように、４個のキャスター１１４によって、長孔１２０の長さだけ左右方向に移動でき、シャフト１２２の長さだけ前後方向に移動できる。そして、搬入スプロケット２８は、搬入軸部１０２を中心に回転する。なお、図８は裏面から見た図面であるので、他の図面とは左右が反対に記載されている。
【００５５】
右側の搬入スプロケット２８は、左側の搬入スプロケット２８と左右対称の構造を有する。
【００５６】
（５）第１レール２０１
左側の第１レール２０１について図３と図５と図７と図９を参照して説明する。第１レール２０１は、上記で説明したテンターレール２００と同じ構造（図３参照）を有するが、レール支持板３８の構造が相異する。
【００５７】
図５と図７と図９に示すように、第１レール２０１は、レール支持板３８に対応する第１支持板１２８を有し、第１支持板１２８の外側部には、上記で説明した縦レール板３４と横レール板３６を有するレール基礎部３２が設けられている。
【００５８】
図５と図７と図９に示すように、第１支持板１２８の一端部には、円形の孔を有する第１リング部１３０が延設され、この第１リング部１３０は、第１スプロケット１８の第１軸部６２に係合する。
【００５９】
図５と図７と図９に示すように、第１支持板１２８の他端部には、円形の孔を有する搬入リング部１３２が延設され、この搬入リング部１３２は、搬入スプロケット２８の搬入軸部１０２に係合する。
【００６０】
図９に示すように、第１レール２０１のレール基礎部３２に取り付けられている縦レール板３４と横レール板３６の両端部は、レール基礎部３２より突出している。また、横レール板３６の両端部は円弧状に切り欠かれ、第１スプロケット１８と搬入スプロケット２８に当接しないようになっている。
【００６１】
右側の第１レール２０１は、左側の第１レール２０１と左右対称の構造を有する。
【００６２】
（６）第４レール２０４
左側の第４レール２０４について図３と図７と図９を参照して説明する。第４レール２０４は、上記で説明したテンターレール２００と同じ構造（図３参照）を有するが、レール支持板３８の構造が相違する。
【００６３】
図７と図９に示すように、第４レール２０４は、レール支持板３８に対応する第４支持板１３４を有し、第４支持板１３４の外側部には、上記で説明した縦レール板３４と横レール板３６を有するレール基礎部３２が設けられている。
【００６４】
図７と図９に示すように、第４支持板１３４の一端部には、円形の孔を有する搬入リング部１３６が延設され、この搬入リング部１３６は、搬入スプロケット２８の搬入軸部１０２に係合する。
【００６５】
図７と図９に示すように、第４支持板１３４の他端部には、円形の孔を有する第４リング部１３８が延設され、この第４リング部１３８は、第４スプロケット２４をベアリングを介して回転させる第４軸部１４０に係合している。なお、第４軸部１４０は、図９に示すように、第４スプロケット台１４２から突出している。第４スプロケット台１４２は、左右方向の移動は固定され、移動しない。一方、第４スプロケット台１４２は、エアーシリンダ、油圧シリンダ、バネなどの張力付与装置（不図示）により搬入方向に押圧され、テンターチェーン１４の張力付与が行われている。
【００６６】
図９に示すように、第４レール２０４のレール基礎部３２に取り付けられている縦レール板３４と横レール板３６の両端部は、レール基礎部３２より突出している。また、横レール板３６の両端部は円弧状に切り欠かれ、搬入スプロケット２８と第４スプロケット２４に当接しないようになっている。
【００６７】
右側の第４レール２０４は、左側の第４レール２０４と左右対称の構造を有する。
【００６８】
（７）テンター装置１０の搬出側の構造
搬出側にある左右一対の第２スプロケット２０は、上記したように左右方向には移動可能ではあるが、前後方向には移動しないように固定されている。
【００６９】
左右一対の搬出スプロケット２６は、左右一対の搬入スプロケット２８と同じ構造を有している。
【００７０】
第２スプロケット２０と搬出スプロケット２６に架け渡された第２レール２０２は第１レール２０１と同じ構造を有している。搬出スプロケット２６と第３スプロケット２２に架け渡された第３レール２０３は、第４レール２０４と同じ構造を有している。
【００７１】
（８）テンター装置１０の動作状態
テンター装置１０の動作状態について説明する。
【００７２】
搬入側から搬入されたウエブＷは、図１〜図３に示すように、その両耳部が左右一対の固定部材１６のピン５６に固定されて拡布状態で保持され、テンターチェーン１４の移動と共に前後方向に移動し、熱処理室１２内部を通過するときに、熱風が吹き付けられ熱処理が行われる。そして、熱処理されたウエブＷは、搬出側から搬出される。
【００７３】
このとき図１に示す狭い幅Ｌ１のウエブＷから、図２に示す大きい幅Ｌ２（但し、Ｌ２＞Ｌ１である）のウエブＷに変更した場合には、左右一対の第１スプロケット１８と左右一対の第２スプロケット２０，２０の間隔を広げる必要がある。
【００７４】
第１スプロケット１８，１８と第２スプロケット２０，２０の間隔を広げると、左側と右側の無端状のテンターチェーン１４が広げた分だけそれぞれ弛むこととなる。そのため、これが弛むことがないように操作を行う。
【００７５】
まず、図１と図９に示すように、ウエブＷの幅がＬ１のときは、第１スプロケット１８と第４スプロケット２４よりも搬入スプロケット２８は、搬入側に位置し、第１レール２０１と第４レール２０４とはＶ字状をなしている。しかし、第１レール２０１と第４レール２０４のなす角度θ１は、１８０°に近く大きい。
【００７６】
次に、左右一対の第１スプロケット１８，１８の間隔を広げるには、作業員が図４と図６に示す左側のハンドル９８を回転させることにより、左側の第１スプロケット台６０を左方向に移動させる。すると、左側の第１スプロケット１８の第１軸部６２も左方向に移動する。右側のハンドル９８も作業員が回転させることにより、右側の第１スプロケット台６０を右方向に移動させる。すると、右側の第１スプロケット１８の第１軸部６２も右方向に移動する。以下、左側のみを説明するが、右側も左右対称に動作する。
【００７７】
次に、左側の第４スプロケット２４は左右方向に固定され、左側の第１軸部６２が左方向に移動すると、搬入スプロケット２８が、図９に示すように、Ｖ字状の第１レール２０１と第４レール２０４によって搬入側に押圧され、搬入方向に移動する。これにより、図２に示すように、第１レール２０１と第４レール２０４とのなす角度θ２が狭くなる。この状態を詳しく説明する。図８に示すように、搬入スプロケット２８は、第１レール２０１によって搬入側に移動する力が掛かると、４個のキャスター１１４がテンター台１１６上を移動する。この場合に図７と図８に示すように、左右方向は長孔１２０の長さ、前後方向はシャフト１２２の長さに規制されつつ、スムーズに移動する。そして、搬入スプロケット２８が移動すると、第４レール２０４も移動し、図２に示すように、鋭角θ２になったＶ字状となる。これにより、無端状のテンターチェーン１４を弛むことなく張った状態で移動させることができる。
【００７８】
搬出側においても同様に左右一対の第２スプロケット２０を左右方向に広げると、搬出スプロケット２６が搬出側に移動し、無端状のテンターチェーン１４を弛むことなく張った状態で移動させることができる。
【００７９】
広い幅Ｌ２のウエブＷが取り付けられた状態から、狭い幅Ｌ１のウエブＷを取り付ける場合には、上記と反対の方向にハンドル９８を回転させればよい。
【００８０】
（９）効果
本実施形態によれば、幅の大きいウエブＷを取り付ける場合には、搬入側の第１スプロケット台６０をハンドル９８で左右方向に移動させると、それに伴って搬入スプロケット２８が搬入側に移動し、無端状のテンターチェーン１４を弛むことなく張った状態で保持できる。また、搬出側においても搬出スプロケット２６が搬出側に移動し、無端状のテンターチェーン１４を弛むことなく張った状態で保持できる。また、このときに第４スプロケット２４を支持する第４スプロケット台１４２を、張力付与装置による搬入方向の移動を最小限にできる。
【００８１】
また、往路のテンターチェーン１４の長さが、熱処理室１２に進入して高温により伸びても、その伸びた分が第１スプロケット台６０の移動、すなわちスライドレール７８内部を移動ベアリング８６，８８が前後方向に移動することにより吸収できる。特に、移動ベアリング８６，８８は回転可能であるため、前後方向からややずれた状態でスライドレール７８が移動しても容易にその移動分を吸収できる。
【００８２】
また、このスライドレール７８と移動ベアリング８６，８８であると、左右一対の第１スプロケット１８と左右一対の第２スプロケット２０の間にある左右一対の複数のテンターレール２００の間隔を、広げたり、狭めたりして、第１スプロケット１８と第２スプロケット２０の間の距離が変更されても、スライドレール７８内部を移動ベアリング８６，８８が前後方向に移動することにより、その距離の変化を吸収できる。
【００８３】
（１０）変更例
上記実施形態では、テンターチェーン１４の往路は熱処理室１２内部にあり、復路は熱処理室１２の外部にあったが、これに代えて往路も復路も熱処理室１２内部に設けてもよい。
【００８４】
また、本実施形態では、搬入側と搬出側の両方に搬出スプロケット２６，搬入スプロケット２８を設けたが、少なくとも搬入スプロケット２８を設ける構造でもあってもよい。
【００８５】
また、上記実施形態では、固定部材１６としてピン５６で固定したが、これに代えて固定部材１６がクリップであってもよい。
【００８６】
また、本実施形態では、ウエブＷを左右一対の固定部材１６に拡布状態で取り付けたが、これに代えて、テンター装置１０をウエブＷの幅出しのため、すなわち、ウエブＷを一定の幅になるようにするために用いてもよい。
【００８７】
また、本実施形態では、ハンドル９８を手動で回転させていたが、これに代えてハンドル棒をモータで駆動させてもよい。
【００８８】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００８９】
１０・・・テンター装置、１２・・・熱処理室、１４・・・テンターチェーン、１６・・・固定部材、１８・・・第１スプロケット、２０・・・第２スプロケット、２２・・・第３スプロケット、２４・・・第４スプロケット、２６・・・搬出スプロケット、２８・・・搬入スプロケット、２０１・・・第１レール、２０４・・・第４レール
【図１】
2020078880.tif 000003
【図２】
2020078880.tif 000004
【図３】
2020078880.tif 000005
【図４】
2020078880.tif 000006
【図５】
2020078880.tif 000007
【図６】
2020078880.tif 000008
【図７】
2020078880.tif 000009
【図８】
2020078880.tif 000010
【図９】
2020078880.tif 000011